(57)【要約】      （修正有）【課題】発光ユニットを手動で使用状態と収納状態の途中で停止させた後に電源をオフしたときに発光ユニットに不要な動きが生じない撮像装置を提供する。【解決手段】撮像装置のレンズ鏡筒ユニットは、回転駆動によって発光ユニットを収納状態と使用状態との間で移動させる駆動環３０を備える。駆動環３０は、撮像装置が撮像不能状態から撮像可能状態となるときに発光ユニットを収納状態から使用状態にする第１のカム３０ａと、手動操作によって発光ユニットを使用状態から収納状態にしたときに係合する第２のカム３０ｂとを有し、第２のカム３０ｂは、撮像可能状態において手動操作により発光ユニットを使用状態と収納状態との間に停止させて撮像装置を撮像可能状態から撮像不能状態としたとき、撮像不能状態から撮像可能状態に移行する間では発光ユニットを収納状態となる方向に移動させるカム面が形成されたリード部を有する。【選択図】図１２
2013073059.tif 000002
【特許請求の範囲】
【請求項１】
撮像装置であって、
発光ユニットを有する発光部と、
レンズ鏡筒を構成する駆動環であって、前記発光部と係合し、回転駆動によって前記発光ユニットを前記撮像装置の本体の内部に収納した収納状態と前記本体から突出した使用状態との間で移動させる駆動環とを備え、
前記駆動環は、
前記発光部と係合し、前記撮像装置が撮像不能状態から撮像可能状態となるときに前記発光ユニットを前記使用状態とし、前記撮像装置が撮像可能状態から撮像不能状態となるときに前記発光ユニットを前記収納状態にするリードを有する第１のカムと、
前記撮像装置が前記撮像可能状態にあるときに手動操作によって前記発光ユニットを前記使用状態から前記収納状態に移動させると前記発光部が前記第１のカムとの係合を解除して係合し、前記発光部と係合している状態において前記撮像装置を前記撮像可能状態から前記撮像不能状態にすると前記発光部が前記第１のカムと係合する前に前記発光部との係合が解除される第２のカムとを有し、
前記発光部は、
前記第１のカム又は前記第２のカムと係合し、前記駆動環の回転駆動に連動して、前記発光ユニットを前記使用状態と収納状態との間で移動させる移動部材を有し、
前記第２のカムは、前記撮像装置が撮像可能状態にあるときに手動操作によって前記発光ユニットを前記使用状態と前記収納状態との間に停止させ、前記移動部材が前記第１のカム及び前記第２のカムとの係合を解除している状態で前記撮像装置を撮像可能状態から撮像不能状態としたとき、前記撮像装置が撮像不能状態から撮像可能状態に移行する間では前記発光ユニットが前記収納状態となる方向に移動するように、前記移動部材が当接するカム面が形成されたリード部を有することを特徴とする撮像装置。
【請求項２】
前記撮像装置が撮像可能状態にあるときに手動操作によって前記発光ユニットを前記使用状態と前記収納状態との間で移動させた際に、前記移動部材は、前記発光ユニットが前記使用状態になったときだけ前記第１のカムと係合し、前記発光ユニットが前記収納状態になったときだけ前記第２のカムと係合することを特徴とする請求項１記載の撮像装置。
【請求項３】
前記第２のカムは、前記撮像装置が撮像可能状態にあるときに手動操作によって前記発光ユニットを前記使用状態から前記収納状態との間に停止させ、前記移動部材が前記第１のカム及び前記第２のカムとの係合を解除している状態で前記撮像装置を撮像可能状態から撮像不能状態としたとき、前記移動部材が前記リード部の前記カム面に当接するまでに前記発光ユニットが前記使用状態へ移動しないように設けられた別のカム面を有し、
前記別のカム面は、前記移動部材の移動方向と前記別のカム面の法線ベクトルとが垂直をなす面で形成されているとことを特徴とする請求項１又は２記載の撮像装置。
【発明の詳細な説明】
【技術分野】
【０００１】
本発明は、発光ユニットを備える撮像装置に関する。
【背景技術】
【０００２】
被写体に対して光を照射する発光ユニットを備える撮像装置として、発光ユニットが、電源オフ時等の撮像不能状態では収納状態となり、電源オン時等の撮像可能状態では撮像装置の本体から突出して使用状態（突出状態）となるものが知られている。具体的には、レンズ鏡筒の沈胴位置からの繰り出し動作と沈胴位置への繰り込み動作に連動して、発光ユニットを使用状態と収納状態との間で移動させる撮像装置が知られている（特許文献１参照）。
【０００３】
このような従来の撮像装置では、レンズ鏡筒が繰り出した撮像可能状態では、発光ユニットは常に撮像装置の本体から突出した使用状態となり、レンズ鏡筒が沈胴した撮像不能状態では常に使用不能な収納状態となる。こうして、撮像装置の電源オンと同時に発光ユニットを突出した使用状態とすることには、撮像の機会を逃がしてしまうことがないようにするという利点がある。
【先行技術文献】
【特許文献】
【０００４】
【特許文献１】特開平０７−１９９２９５号公報
【発明の概要】
【発明が解決しようとする課題】
【０００５】
しかしながら、発光ユニットを発光させない場合でも電源オンと同時に発光ユニットを突出させてしまうと、被写体が人物である場合には、その人物に発光ユニットの発光を予期させてしまう。これが、撮影を避けられたり、不自然な表情が撮影されたりする等の原因となることがある。また、発光ユニットの使用状態と収納状態との間の移動をレンズ鏡筒の沈胴位置と繰り出し位置との移動に連動させると、撮像可能状態では発光ユニットが常に突出してしまい、撮像装置のホールディングを妨げてしまうという問題がある。
【０００６】
そこで、撮像装置を撮像可能状態に保持しながら、使用状態となった発光ユニットを手動で収納状態とすることができる構造とすることが好ましい。また、発光ユニットが収納状態のまま撮像装置の電源をオフすると、発光ユニットの収納状態を保持しながら撮像装置が撮像不能状態になる構成とすることが好ましい。
【０００７】
しかしながら、このような構成にすると、撮像可能状態において発光ユニットを手動で使用状態と収納状態の途中で停止させた後、電源をオフすることにより撮像不能状態にすると、発光ユニットが使用状態の方向に動いた後に収納されてしまう。このような発光ユニットの動作を、ユーザは撮像装置の故障だと誤って判断するおそれがある。
【０００８】
本発明は、発光ユニットを手動で使用状態と収納状態の途中で停止させた後に電源をオフしたときに、発光ユニットに不要な動きが生じない撮像装置を提供することを目的とする。
【課題を解決するための手段】
【０００９】
本発明に係る撮像装置は、撮像装置であって、発光ユニットを有する発光部と、レンズ鏡筒を構成する駆動環であって、前記発光部と係合し、回転駆動によって前記発光ユニットを前記撮像装置の本体の内部に収納した収納状態と前記本体から突出した使用状態との間で移動させる駆動環とを備え、前記駆動環は、前記発光部と係合し、前記撮像装置が撮像不能状態から撮像可能状態となるときに前記発光ユニットを前記使用状態とし、前記撮像装置が撮像可能状態から撮像不能状態となるときに前記発光ユニットを前記収納状態にするリードを有する第１のカムと、前記撮像装置が前記撮像可能状態にあるときに手動操作によって前記発光ユニットを前記使用状態から前記収納状態に移動させると前記発光部が前記第１のカムとの係合を解除して係合し、前記発光部と係合している状態において前記撮像装置を前記撮像可能状態から前記撮像不能状態にすると前記発光部が前記第１のカムと係合する前に前記発光部との係合が解除される第２のカムとを有し、前記発光部は、前記第１のカム又は前記第２のカムと係合し、前記駆動環の回転駆動に連動して、前記発光ユニットを前記使用状態と収納状態との間で移動させる移動部材を有し、前記第２のカムは、前記撮像装置が撮像可能状態にあるときに手動操作によって前記発光ユニットを前記使用状態と前記収納状態との間に停止させ、前記移動部材が前記第１のカム及び前記第２のカムとの係合を解除している状態で前記撮像装置を撮像可能状態から撮像不能状態としたとき、前記撮像装置が撮像不能状態から撮像可能状態に移行する間では前記発光ユニットが前記収納状態となる方向に移動するように、前記移動部材が当接するカム面が形成されたリード部を有することを特徴とする。
【発明の効果】
【００１０】
本発明によれば、発光ユニットを手動で使用状態と収納状態の途中で停止させた後に電源をオフしたときに発光ユニットに不要な動きが生じないので、ユーザは撮像装置の故障だと誤って判断することがない。
【図面の簡単な説明】
【００１１】
【図１】本発明の実施形態に係るデジタルカメラの外観斜視図である。
【図２】レンズ鏡筒ユニットの構造を示す分解斜視図である。
【図３】レンズ鏡筒ユニットの構造を示す外観斜視図、外観正面図及び断面図である。
【図４】発光ユニットの一部を詳細に示す分解斜視図である。
【図５】発光ユニットが使用状態にあるときの構造を詳細に示す斜視図である。
【図６】発光ユニットが使用状態と収納状態との間で移動するときの発光部（発光ユニット、スライダ）の動作を示す断面図である。
【図７】レンズ鏡筒ユニットを構成する駆動環に形成されたストロボカムの概ねの形状を示す図である。
【図８】駆動管と発光部の動作の関係を示す斜視図である。
【図９】発光ユニットが手動操作される際の発光部の駆動環に対する動作を示す部分断面図である。
【図１０】収納状態にある発光ユニットを手動操作によって使用状態へ移動させたときの動作を示す断面図である。
【図１１】レンズ鏡筒ユニットを構成する駆動環に形成されるストロボカムの好ましい形状を詳細に示す図である。
【図１２】レンズ鏡筒ユニットを構成する駆動環に形成されるストロボカムの更に好ましい形状を詳細に示す図である。
【発明を実施するための形態】
【００１２】
以下、本発明の実施形態について添付図面を参照して詳細に説明する。ここでは、本発明に係る撮像装置として、所謂、デジタルカメラ（コンパクトタイプ）を取り上げることとする。
【００１３】
＜デジタルカメラの４つの状態＞
図１は、本発明の実施形態に係るデジタルカメラの外観斜視図であり、デジタルカメラが取り得る４つの状態を示している。図１（ａ）は撮像不能状態の１つである電源オフ状態を示している。図１（ａ）に示す状態では、レンズ鏡筒ユニットＬは沈胴状態となっており、発光ユニット１は収納状態となっている。図１（ｂ）は撮像可能状態の１つである電源オン状態を示している。図１（ｂ）に示す状態では、レンズ鏡筒ユニットＬは繰り出し状態となっており、発光ユニット１は使用状態（突出状態）となっている。図１（ａ）に示す状態でデジタルカメラの電源がオンされると、デジタルカメラは図１（ａ）の撮像不能状態から図１（ｂ）の撮像可能状態に移行する。
【００１４】
図１（ｃ）は図１（ｂ）に示す状態で発光ユニット１を手動操作によって使用状態から収納状態に移動させた状態を示している。図１（ｃ）に示す状態では、レンズ鏡筒ユニットＬは繰り出し状態となっており、発光ユニット１は収納状態となっている。図１（ａ）に示す状態で発光ユニット１を手動操作によって収納状態から使用状態に移動させると、図１（ｄ）に示す状態となる。図１（ｄ）に示す状態では、レンズ鏡筒ユニットＬは沈胴状態となっており、発光ユニット１は使用状態となっている。
【００１５】
本実施形態に係るデジタルカメラは、手動操作によって図１（ｂ）に示す状態から図１（ｃ）に示す状態にすることができ、図１（ｃ）に示す状態でデジタルカメラの電源をオフすると、発光ユニット１が収納状態のまま図１（ａ）に示す撮像不能状態へと移行する。また、本実施形態に係るデジタルカメラは、発光ユニット１を手動操作することによって図１（ａ）に示す状態から図１（ｄ）に示す状態にすることができる。そして、図１（ｄ）に示す状態でデジタルカメラの電源をオンすると、発光ユニット１が使用状態のまま図１（ｂ）に示す撮像可能状態へと移行する。
【００１６】
＜レンズ鏡筒ユニットＬの構造＞
図２は図１に示したレンズ鏡筒ユニットＬの分解斜視図である。レンズ鏡筒ユニットＬは、１群レンズ、２群レンズ及び不図示の３群レンズを備えている。１群レンズは１群レンズホルダ１０に保持され、２群レンズは２群レンズホルダ１１に保持されている。
【００１７】
直進案内板１２には１群レンズホルダ１０を光軸方向へ移動可能に支持する１群案内棒１３が形成されている。１群案内棒１３は１群レンズホルダ１０の内面に形成された光軸方向へ延びる不図示の溝に係合している。直進案内板１２には２群レンズホルダ１１を光軸方向へ移動可能に支持する２群案内棒１５が形成されている。２群案内棒１５は、２群レンズホルダ１１の外周部に設けられた２群直進穴１４に係合し、２群レンズホルダ１１が光軸方向で移動可能となるように２群レンズホルダ１１を支持する。したがって、直進案内板１２に形成された１群案内棒１３と２群案内棒１５とによって、１群レンズホルダ１０及び２群レンズホルダ１１は光軸方向での移動を案内される。
【００１８】
直進案内板１２のフランジ部の外縁部には複数の突起１６が形成されている。複数の突起１６が、光軸方向へ伸びるように固定カム環１７の内面に設けられた複数の溝１８にそれぞれ係合することにより、直進案内板１２は光軸方向で移動可能に支持される。
【００１９】
移動カム環１９の外周面には、外周面を３等分するようにカムフォロワー２０が形成されている。これらのカムフォロワー２０が固定カム環１７の内面に形成された同形状の３本のカム２１にそれぞれカム係合することにより、移動カム環１９の回転に伴ってカムフォロワー２０はカム２１をトレースし、移動カム環１９は回転しながら光軸方向に移動する。また、移動カム環１９の内周面後端部には係合溝２２が形成されており、係合溝２２に直進案内板１２のフックが係合することによって、直進案内板１２は移動カム環１９に対して回転可能に係合する。これにより、移動カム環１９の光軸方向への移動にともない、直進案内板１２も共に光軸方向で移動する。
【００２０】
１群レンズホルダ１０の外周面部には、外周面を３等分するように３箇所に１群カムフォロワー２４が形成されている。３箇所の１群カムフォロワー２４はそれぞれ、移動カム環１９の内周面に設けられた同形状の３本の１群カム２５にカム係合する。これによって、移動カム環１９の回転に伴って、１群カムフォロワー２４は１群カム２５をトレースする。また、１群レンズホルダ１０は光軸方向で移動するように案内されているので、１群レンズホルダ１０は、移動カム環１９の回転に伴って１群カム２５の光軸方向での変位量に合わせて移動する。
【００２１】
２群レンズホルダ１１の外周面部には、外周面を３等分するように３箇所に２群カムフォロワー２６が形成されている。３箇所の２群カムフォロワー２６はそれぞれ、移動カム環１９の内周面に設けられた同形状の３本の２群カム２７にカム係合する。これによって、移動カム環１９の回転に伴って、２群カムフォロワー２６は２群カム２７をトレースする。また、２群レンズホルダ１１は光軸方向で移動するよう案内されているので、２群レンズホルダ１１は、移動カム環１９の回転に伴って、２群カム２７の光軸方向での変位量に合わせて移動する。
【００２２】
移動カム環１９の外周面には、外周面を３等分するように３箇所に駆動ピン２８が形成されている。３箇所の駆動ピン２８はそれぞれ、固定カム環１７の内周面から外周面に貫通するカム穴２９を貫通し、固定カム環１７の外周面から突出する。固定カム環１７においてカム２１とカム穴２９は同形状となっており、移動カム環１９の固定カム環１７に対する回転繰り出し移動に対して、駆動ピン２８はカム穴２９をトレースして固定カム環１７から突出した状態を保持する。
【００２３】
駆動部材としての駆動環３０は、固定カム環１７の外周面に嵌合して回転自在に支持される。駆動環３０の内周面には光軸方向へ伸びる３本の溝３１が内周面を３等分にするように形成されており、３本の溝３１に３箇所の駆動ピン２８がそれぞれ係合する。これにより、駆動環３０の回転が溝３１と駆動ピン２８を介して移動カム環１９へ伝達される。
【００２４】
このように、１群レンズホルダ１０、２群レンズホルダ１１、直進案内板１２、固定カム環１７、移動カム環１９及び駆動環３０は、一体となって相互に連携して動作する。こうして一体となった部品は鏡筒ベース３２に組み込まれる。そして、撮像素子を保持する撮像素子ホルダ３３が、固定カム環１７のフランジ部分を鏡筒ベース３２とで挟み込むように固定される。
【００２５】
レンズ鏡筒ユニットＬの駆動源４４は、電力を動力へと変換する電磁モータである。駆動源４４の動力（回転駆動力）は、ギア列４５を介して駆動環３０の外周面に形成された駆動環ギア４６へ伝達される。これにより、駆動源４４への通電（電力供給）によって駆動環３０を回転駆動させることができる。
【００２６】
鏡筒ベース３２は、駆動源４４及びギア列４５を保持し、移動部材としてのスライダ３７を光軸方向で移動可能に保持する。なお、図２では駆動源４４による駆動環３０の駆動形態を説明するために、駆動源４４を駆動環３０に隣接させて描画している。スライダ３７は、発光ユニット１を収納状態と使用状態との間で移動させる移動部材であり、鏡筒ベース３２に保持されたスライダシャフト３８に案内されることで、鏡筒ベース３２上において光軸方向で移動可能となっている。スライダ３７には、スライダ３７の内部に進退可能なカムフォロワーとしてのストロボフォロワー３９が配置されている。ストロボフォロワー３９は、圧縮ばね４０によってスライダ３７から突出する方向に付勢されている。
【００２７】
駆動環３０の外周面には、ストロボフォロワー３９と係合可能な第１のストロボカム３０ａ、第２のストロボカム３０ｂ及び第３のストロボカム３０ｃが形成されている。ストロボフォロワー３９が第１のストロボカム３０ａと係合する場合には、駆動環３０が回転することによって、スライダ３７は鏡筒ベース３２上を光軸方向で移動する。第２のストロボカム３０ｂと第３のストロボカム３０ｃの機能については後述する。
【００２８】
図３はレンズ鏡筒ユニットＬの構造を示しており、図３（ａ）はレンズ鏡筒ユニットＬの外観斜視図であり、図３（ｂ）はレンズ鏡筒ユニットＬの外観正面図であり、図３（ｃ）は図３（ｂ）における矢視Ａ−Ａ断面図である。なお、図３（ａ）〜（ｃ）の各図において、レンズ鏡筒ユニットＬは沈胴状態となっている。
【００２９】
図３（ａ）に示すように、スライダ３７にはＵ字部３７ａが形成されており、Ｕ字部３７ａは、後述するストロボホルダ４０８から突出するように形成された突起４０８ｂを挟み込む。図３（ｂ）は図３（ｃ）の説明のために描画されている。図３（ａ），（ｃ）に示すように、スライダ３７には、スライダ３７がスライダシャフト３８に支持された状態で駆動環３０の外周面に対して略垂直となる穴部が形成されており、この穴部にストロボフォロワー３９と圧縮ばね４０が挿入されている。図３（ｃ）に示す状態では、ストロボフォロワー３９は第１のストロボカム３０ａと係合している。
【００３０】
＜発光ユニット１の構造＞
図４は本実施形態に係るデジタルカメラが備える発光ユニット１の一部を詳細に示す分解斜視図である。先ず、発光ユニット１本体の構成について説明する。発光ユニット１では、キセノン管４０１がリード線４０２によってフレキシブル配線基板４０３と電気的に接続され、フレキシブル配線基板４０３は発光制御を行うストロボ基板４０４と電気的に接続されている。
【００３１】
キセノン管４０１から放射される光は反射笠４０５によって集光され、キセノン管ゴム４０６が、キセノン管４０１の端子部の絶縁を行うと共に、キセノン管４０１を反射笠４０５側へ付勢する。キセノン管４０１と反射笠４０５から放射される光は、プリズムパネル４０７によって所望の範囲に照射される。
【００３２】
キセノン管４０１、反射笠４０５、キセノン管ゴム４０６及びプリズムパネル４０７をストロボホルダ４０８に配置した後、ストロボカバー２をストロボホルダ４０８にビスによって固定することで、発光ユニット１は組み立てられる。ストロボホルダ４０８には、後述する検知スイッチ４０３ａを動作させる突起４０８ａが形成されている。
【００３３】
次に、発光ユニット１を使用状態と収納状態との間で移動させる構造について説明する。発光ユニット１は、ストロボシャフト３０２によってストロボベース３０１に対して回動可能に支持される。ストロボホルダ４０８にはトグルばね４０９の一端を引っ掛ける軸４１０が圧入されており、トグルばね４０９の他端はストロボベース３０１に備える軸３０１ａに引っ掛けられる。トグルばね４０９は、ストロボシャフト３０２を回動中心として、発光ユニット１を使用状態にも収納状態にも付勢する付勢部材として機能する。
【００３４】
フレキシブル配線基板４０３、ストロボ基板４０４及びストロボコンデンサ４１２が取り付け部材４１１に取り付けられ、ストロボベース３０１もまたビスによって取り付け部材４１１に取り付けられる。
【００３５】
フレキシブル配線基板４０３には、レバー式の検知スイッチ４０３ａが実装されており、発光ユニット１が使用状態にあるか収納位置にあるかを検知する。検知スイッチ４０３ａは、取り付け部材４１１に形成された穴４１１ａからレバー部分が突出するように配置される。したがって、発光ユニット１が収納状態になると、ストロボホルダ４０８の突起４０８ａが検知スイッチ４０３ａのレバー部分を押し込む。一方、発光ユニット１が使用状態となると、突起４０８ａが検知スイッチ４０３ａのレバー部分に接触しないため、レバー部分が穴４１１ａから突出する。本実施形態に係るデジタルカメラは、検知スイッチ４０３ａによって発光ユニット１が使用状態であることを検知しているときだけ、発光ユニット１を発光させる制御を行う。
【００３６】
＜発光部の駆動形態＞
以下の説明において、発光ユニット１とスライダ３７とを合わせたものを発光部と呼ぶこととする。図５は発光ユニット１が使用状態にあるときの構造を詳細に示す斜視図である。なお、図５では鏡筒ベース３２や取り付け部材４１１等の図示を省略している。
【００３７】
上述の通り、駆動環３０が回転すると、ストロボフォロワー３９が第１のストロボカム３０ａをトレースし、スライダ３７が光軸方向で移動する。発光ユニット１はストロボベース３０１に対して回動可能に支持されているので、ストロボホルダ４０８から突出形成された突起４０８ｂがスライダ３７に形成されるＵ字部３７ａに入り込む。これにより、スライダ３７が光軸方向に移動すると、Ｕ字部３７ａの後述する図６に示す壁３７ａ１又は壁３７ａ２が突起４０８ｂを押し込むことにより、発光ユニット１は収納状態と使用状態との間を移動する。
【００３８】
図６は発光ユニット１が使用状態と収納状態との間で移動するときの発光部の動作を示す断面図である。図６（ａ）は発光ユニット１がデジタルカメラ本体に収納された収納状態を示している。収納状態では突起４０８ｂはＵ字部３７ａの壁３７ａ１，３７ａ２のいずれとも当接しておらず、発光ユニット１が収納状態となる方向に付勢しているトグルばね４０９（図６各図に不図示）によって発光ユニット１は収納状態に保持される。
【００３９】
図６（ｂ）は図６（ａ）に示す状態からスライダ３７が矢印Ｑ方向に移動した状態を示している。この状態では、Ｕ字部３７ａの壁３７ａ２が突起４０８ｂと当接し、トグルばね４０９の付勢力に抗して、発光ユニット１を使用状態へ移動させる。図６（ｂ）に示す状態からスライダ３７がトグルばね４０９の付勢力の方向が反転する地点まで発光ユニット１を移動させると、トグルばね４０９の付勢方向が反転し、発光ユニット１は使用状態の方向に付勢される。
【００４０】
図６（ｃ）は発光ユニット１の使用状態を示している。使用状態では、突起４０８ｂはＵ字部３７ａの壁３７ａ１，３７ａ２のいずれとも当接しておらず、発光ユニット１が使用状態となる方向に付勢するトグルばね４０９によって、発光ユニット１は使用状態に保持される。
【００４１】
発光ユニット１を使用状態から収納状態へ移動させる場合には、図６（ｃ）に示す状態からスライダ３７を図中左方向（図６（ｂ）の矢印Ｑ方向とは逆の方向）に移動させればよい。このように、本実施形態に係るデジタルカメラでは、スライダ３７を光軸方向で移動させることによって、発光ユニット１を収納状態と使用状態との間で移動させることができるようになっている。
【００４２】
＜駆動環３０に形成されたストロボカム３０ａ〜３０ｃと発光部の動作との関係＞
図７は駆動環３０に形成されたストロボカム３０ａ〜３０ｃの概ねの形状を示す図である。図７（ａ）は駆動環３０の正面図及び側面図であり、図７（ｂ）は図７（ａ）の正面図に示した矢視Ｂ−Ｂの断面図である。図７（ｃ）は、駆動環３０を展開し、第１のストロボカム３０ａ、第２のストロボカム３０ｂ及び第３のストロボカム３０ｃが形成された部分を拡大した平面図である。図８は駆動環３０と発光部の動作の関係を示す斜視図である。図８（ａ）〜（ｄ）に示す発光部の状態はそれぞれ図１（ａ）〜（ｄ）に示す状態に対応している。
【００４３】
図７（ａ）〜（ｃ）に示すように、駆動環３０には第１のカムとしての第１のストロボカム３０ａ、第２のカムとしての第２のストロボカム３０ｂ及び第３のカムとしての第３のストロボカム３０ｃが形成されている。
【００４４】
第１のストロボカム３０ａは、レンズ鏡筒ユニットＬが沈胴状態から繰り出し状態となるときに、発光ユニット１を収納状態から使用状態にするカムである。第１のストロボカム３０ａは、レンズ鏡筒ユニットＬが繰り出し状態から沈胴状態となるときに、発光ユニット１を使用状態から収納状態にするカムでもある。したがって、発光部が図８（ａ）に示す状態と図８（ｂ）に示す状態との間で変化するとき、スライダ３７のストロボフォロワー３９は第１のストロボカム３０ａをトレースする。
【００４５】
第２のストロボカム３０ｂは、レンズ鏡筒ユニットＬが繰り出し状態で発光ユニット１が収納状態にあるときに、発光ユニット１を収納状態に保持しながら、レンズ鏡筒ユニットＬを繰り出し状態から沈胴状態にすることを可能にするカムである。第２のストロボカム３０ｂは、発光ユニット１を指等で押さえ込んで収納状態に保持したまま、レンズ鏡筒ユニットＬを沈胴状態から繰り出し状態にすることを可能にするカムでもある。したがって、発光部が図８（ａ）に示す状態と図８（ｃ）に示す状態との間で変化するとき、スライダ３７のストロボフォロワー３９は第２のストロボカム３０ｂをトレースする。
【００４６】
第３のストロボカム３０ｃは、レンズ鏡筒ユニットＬが沈胴状態で発光ユニット１が使用状態にあるときに、発光ユニット１を使用状態に保持しながら、レンズ鏡筒ユニットＬを沈胴状態から繰り出し状態にすることを可能にするカムである。第３のストロボカム３０ｃは、発光ユニット１を使用状態に保持しながら、レンズ鏡筒ユニットＬを繰り出し状態から沈胴状態にすることを可能にするカムでもある。したがって、発光部が図８（ｂ）に示す状態と図８（ｄ）に示す状態との間で変化するとき、スライダ３７のストロボフォロワー３９は第３のストロボカム３０ｃをトレースする。
【００４７】
図７（ｂ）に示すように、第１のストロボカム３０ａと第２のストロボカム３０ｂはそれぞれ、側面にテーパー角を有するテーパー面が形成された溝形状を有している。第３のストロボカム３０ｃもまた、断面形状を図示していないが、側面にテーパー角を有するテーパー面が形成された溝形状を有している。
【００４８】
図８（ａ）に示すようにレンズ鏡筒ユニットＬが沈胴状態で、発光ユニット１が収納状態にあるとき、スライダ３７のストロボフォロワー３９は図７（ｃ）に示すポジション３０ａ１に位置する。図８（ｂ）に示すようにレンズ鏡筒ユニットＬが繰り出し状態の１つであるワイド状態で、発光ユニット１が使用状態にあるとき、スライダ３７のストロボフォロワー３９は図７（ｃ）に示すポジション３０ａ２に位置する。同様に、レンズ鏡筒ユニットＬが繰り出し状態の１つであるテレ状態で、発光ユニット１が使用状態にあるとき、スライダ３７のストロボフォロワー３９は図７（ｃ）に示すポジション３０ａ３に位置する。このように、第１のストロボカム３０ａは、ポジション３０ａ１とポジション３０ａ２との間で発光ユニット１を収納状態と使用状態との間で移動させ、ポジション３０ａ２とポジション３０ａ３との間ではカムリフトがほぼ０（ゼロ）となるように設定されている。
【００４９】
スライダ３７のストロボフォロワー３９がポジション３０ａ２に位置しているときに、図８（ｂ）に示すように使用状態にある発光ユニット１を手動操作によりデジタルカメラ本体に押し込むと、図８（ｃ）に示す状態になる。このとき、ストロボフォロワー３９は、第１のストロボカム３０ａとの係合を解除して、図７（ｃ）に示すポジション３０ｂ２において第２のストロボカム３０ｂと係合する。ストロボフォロワー３９がポジション３０ａ３に位置するときに、使用状態にある発光ユニット１を手動操作によって収納状態とした場合もこれと同様である。すなわち、ストロボフォロワー３９は、ポジション３０ａ３での第１のストロボカム３０ａとの係合を解除して、図７（ｃ）に示されるポジション３０ｂ３において第２のストロボカム３０ｂと係合する。
【００５０】
なお、図７（ｃ）に示すポジション３０ｃ１、矢印Ｂ１，Ｂ２，Ｃ１，Ｃ２については後述する。
【００５１】
＜発光ユニット１の手動操作時における発光部の動作＞
図９は発光ユニット１が手動操作される際の発光部の駆動環３０に対する動作を示す部分断面図である。図９（ａ）はスライダ３７のストロボフォロワー３９がポジション３０ａ２に位置している状態を示しており、このとき発光ユニット１は使用状態にある。
【００５２】
図９（ａ）に示す状態にある発光ユニット１を手動操作によって収納状態にすると、図９（ｂ）に示すようにスライダ３７に矢印Ｆ１方向の力が作用し、ストロボフォロワー３９が圧縮ばね４０の付勢力に抗して、矢印Ｐ方向に動く。これにより、ストロボフォロワー３９がスライダ３７の内部に退避し、ストロボフォロワー３９の第１のストロボカム３０ａに対する係合が解除されて、スライダ３７は矢印Ｆ１方向に移動する。
【００５３】
図９（ｃ）に示すように、第２のストロボカム３０ｂに到達したストロボフォロワー３９は、第２のストロボカム３０ｂに入り込む。このとき、圧縮ばね４０の付勢力によってストロボフォロワー３９の先端が第２のストロボカム３０ｂの斜面（テーパー面）を滑ることによって矢印Ｆ１方向の力がスライダ３７に作用する。こうして、図９（ｄ）に示されるように、ストロボフォロワー３９は第２のストロボカム３０ｂと係合する。
【００５４】
このように、ストロボフォロワー３９は駆動環３０の外周面に対して略垂直となるスライダ３７の穴部において進退するので、駆動環３０に形成されたカムとの係合と係合の解除とをストレスなく行うことができる。
【００５５】
ストロボフォロワー３９が第２のストロボカム３０ｂと係合しているときに、レンズ鏡筒ユニットＬが繰り出し状態から沈胴状態となると、ストロボフォロワー３９は図７（ｃ）に示す第２のストロボカム３０ｂの右端までトレースする。そして、ストロボフォロワー３９は、第２のストロボカム３０ｂとの係合を解除して、図７（ｃ）の矢印Ｂ１方向に進み、第１のストロボカム３０ａと係合してポジション３０ａ１に到達する。
【００５６】
これとは逆に、ストロボフォロワー３９がポジション３０ａ１に位置するとき、発光ユニット１を指等で押さえ込んで収納状態としたまま、レンズ鏡筒ユニットＬを沈胴状態からワイド状態にすることができる。この場合、ストロボフォロワー３９は、第１のストロボカム３０ａとの係合を解除して、図７（ｃ）の矢印Ｂ２方向に進み、第２のストロボカム３０ｂと係合してポジション３０ｂ２に到達する。
【００５７】
前述の通り、図８（ａ）に示す状態ではストロボフォロワー３９はポジション３０ａ１に位置しており、このとき収納状態にある発光ユニット１を手動操作によって使用状態とすると図８（ｄ）に示す状態になる。この場合、ストロボフォロワー３９はポジション３０ａ１における第１のストロボカム３０ａとの係合を解除して、図７（ｃ）に示されるポジション３０ｃ１において第３のストロボカム３０ｃと係合する。ストロボフォロワー３９がポジション３０ｃ１に位置しているときにデジタルカメラの電源をオンすると、レンズ鏡筒ユニットＬは沈胴状態からワイド状態になる。このとき、ストロボフォロワー３９は、第３のストロボカム３０ｃとの係合を解除して図７（ｃ）の矢印Ｃ１方向に進み、第１のストロボカム３０ａと係合してポジション３０ａ２に到達する。
【００５８】
ストロボフォロワー３９がポジション３０ａ２に位置しているときに、発光ユニット１を使用状態に保持したまま、デジタルカメラの電源をオフして、レンズ鏡筒ユニットＬをワイド状態から沈胴状態にする。すると、ストロボフォロワー３９は、第１のストロボカム３０ａとの係合を解除して、図７（ｃ）に示す矢印Ｃ２方向に進み、第３のストロボカム３０ｃと係合して、ポジション３０ｃ１に到達する。
【００５９】
本実施形態では、第１のストロボカム３０ａと第２のストロボカム３０ｂとの間は連結されておらず、第１のストロボカム３０ａと第３のストロボカム３０ｃとの間もまた連結されていない。これは、次の理由による。例えば、第１のストロボカム３０ａと第２のストロボカム３０ｂとの間を連結すると、ストロボフォロワー３９をポジション３０ａ１からポジション３０ａ２に移動させようとしても、ポジション３０ｂ２に到達する状態となってしまう。すなわち、第１のストロボカム３０ａをトレースせず、第２のストロボカム３０ｂをトレースしてしまい、発光ユニット１が使用状態にならない。このような事態が生じることを防止するために、本実施形態では、第１のストロボカム３０ａと第２のストロボカム３０ｂとの間を分離している。同様に、ストロボフォロワー３９をポジション３０ａ２からポジション３０ａ１に移動させる際にストロボフォロワー３９がポジション３０ｃ１に到達しないように、第１のストロボカム３０ａと第３のストロボカム３０ｃとの間を分離している。
【００６０】
＜手動操作による発光部の収納状態から使用状態への移動＞
図１０は、収納状態にある発光ユニット１を手動操作によって使用状態へ移動させたときの動作を示す断面図である。図１０（ａ）は、図８（ａ），（ｃ）に示すように発光ユニット１が収納状態になっているときのスライダ３７とストロボホルダ４０８の突起４０８ｂとの関係を示している。なお、図８（ａ）に示す状態であれば、図１０（ａ）においてストロボフォロワー３９は第１のストロボカム３０ａに係合し、図８（ｃ）の状態であれば、図１０（ａ）においてストロボフォロワー３９は第２のストロボカム３０ｂに係合する。
【００６１】
図１０（ａ）に示す状態では、突起４０８ｂとＵ字部３７ａの壁３７ａ１との間に第１のクリアランスＫ１が形成されており、トグルばね４０９が発光ユニット１を付勢する方向Ｓは、発光ユニット１を収納状態に向けて付勢する方向となる。ストロボカバー２に形成された突起２ａに指を掛けて矢印Ｒ方向に回動させると、発光ユニット１を図１０（ａ）に示す収納状態から使用状態に移動させることができる。発光ユニット１をこのような手動操作によって矢印Ｒ方向に回転させると、図１０（ｂ）に示されるように第１のクリアランスＫ１がなくなり、突起４０８ｂはＵ字部３７ａの壁３７ａ１に当接する。
【００６２】
発光ユニット１が図１０（ｂ）に示す状態にあるとき、ストロボカバー２と本体カバー９０１との間にクリアランスＴが形成される。図１０（ａ）の状態から図１０（ｂ）の状態までは、発光ユニット１のみが移動し、スライダ３７は移動しない。
【００６３】
図１０（ａ）示す状態から図１０（ｂ）に示す状態にするまでの間に必要な手動操作力は、トグルばね４０９が発光ユニット１を収納状態に付勢する付勢力より大きな力であればよい。よって、比較的小さな手動操作力で、発光ユニット１を図１０（ａ）に示す状態から図１０（ｂ）に示す状態へと移動させることができる。発光ユニット１を図１０（ｂ）に示す状態から更に矢印Ｒ方向に回転させると、突起４０８ｂがＵ字部３７ａの壁３７ａ１を押圧し、スライダ３７が矢印Ｆ方向に移動する。
【００６４】
図１０（ｃ）は、発光ユニット１の回転軸３０２、トグルばね４０９が引っ掛けられる軸３０１ａ及び軸４１０が一直線上に並んだ状態を示している。この状態のとき、軸３０１ａと軸４１０とが最も近づくことになり、トグルばね４０９の付勢力が最も大きくなる。したがって、発光ユニット１を図１０（ｃ）に示す状態から更に矢印Ｒ方向に回転させると、トグルばね４０９が発光ユニット１を付勢する方向Ｓは発光ユニット１を使用状態に付勢する方向に変わる。
【００６５】
図１０（ｂ）に示す状態から図１０（ｃ）に示す状態にするまでの間に必要な手動操作力は、トグルばね４０９が発光ユニット１を収納状態に付勢する付勢力と、スライダ３７を移動させる力との合力よりも大きい必要がある。スライダ３７を移動させるには、ストロボフォロワー３９と第１のストロボカム３０ａ又は第２のストロボカム３０ｂとの係合を解除しなければならない。ストロボフォロワー３９と第１のストロボカム３０ａ又は第２のストロボカム３０ｂとの係合を解除するには、ストロボフォロワー３９を圧縮ばね４０の付勢力に抗してスライダ３７の内部に退避させる力が必要となる。
【００６６】
したがって、図１０（ｂ）に示す状態から図１０（ｃ）に示す状態にするまでの間に必要な手動操作力は、図１０（ａ）に示す状態から図１０（ｂ）に示す状態にするまでの間に必要な手動操作力よりも大きくなる。本実施形態では、図１０（ｂ）の状態ではストロボカバー２と本体カバー９０１との間に形成されるクリアランスＴに指を掛けることができるため、発光ユニット１に力を掛け易くなっており、これにより必要な手動操作力が得られるようにしている。
【００６７】
なお、前述の通り、図１０（ａ）に示すようにクリアランスＴが形成されない状態から図１０（ｂ）に示す状態にするまでの間は、ストロボカバー２の突起２ａを押し上げなければならないので、必要な操作力を比較的小さくしている。ここで、突起２ａの大きさを大きくすれば、突起２ａに大きな力を加えて発光ユニット１を押し上げることも可能であるが、デジタルカメラのデザイン上、突起２ａを大きくすることは好ましくない。そこで、本実施形態に係るデジタルカメラでは、小さな突起２ａであっても発光ユニット１を図１０（ａ）に示す収納状態から図１０（ｂ）に示す状態にするための手動操作力が得られるように、第１のクリアランスＫ１を形成している。
【００６８】
図１０（ｄ）は、図８（ｂ），（ｄ）に示すように発光ユニット１が使用状態になっているときのスライダ３７とストロボホルダ４０８の突起４０８ｂとの関係を示している。図８（ｂ）に示す状態であれば、図１０（ｄ）においてストロボフォロワー３９は第１のストロボカム３０ａに係合し、図８（ｄ）の状態であれば、図１０（ｄ）においてストロボフォロワー３９は第３のストロボカム３０ｃに係合している。
【００６９】
図１０（ｄ）に示す状態では、トグルばね４０９が発光ユニット１を付勢する方向Ｓは、発光ユニット１を使用状態に向けて付勢する方向となり、突起４０８ｂとＵ字部３７ａの壁３７ａ２との間に第２のクリアランスＫ２が形成されている。また、図１０（ｄ）に示す状態になるときに、ストロボフォロワー３９が第１のストロボカム３０ａ又は第３のストロボカム３０ｃに係合し始めると、スライダ３７が図中の右方向に引き寄せられる。これは、圧縮ばね４０によって付勢されたストロボフォロワー３９が第１のストロボカム３０ａ又は第３のストロボカム３０ｃに挿入されることによって、スライダ３７を移動させているからである。こうして、図１０（ｄ）に示す状態では、突起４０８ｂとＵ字部３７ａの壁３７ａ１との間にもクリアランスが形成されることとなる。
【００７０】
発光ユニット１を手動操作によって図１０（ｄ）に示す状態から図１０（ａ）に示す状態に移動させる場合、先ず、第２のクリアランスＫ２がなくなるまでの間は、トグルばね４０９の付勢力に抗する力だけで発光ユニット１を押し下げることができる。その後、突起４０８ｂがＵ字部３７ａの壁３７ａ２に当接してスライダ３７を移動させることで、発光ユニット１は図１０（ａ）に示す状態へと移動する。その際、第２のクリアランスＫ２がなくなって、突起４０８ｂがＵ字部３７ａの壁３７ａ２に当接する状態が生じる。
【００７１】
図１０（ａ）に示す状態においても、圧縮ばね４０によって付勢されたストロボフォロワー３９が第１のストロボカム３０ａ又は第２のストロボカム３０ｂに挿入されることで、スライダ３７を移動させる。したがって、突起４０８ｂとＵ字部３７ａの壁３７ａ２との間にクリアランスが形成されることとなる。
【００７２】
以上の説明の通り、本実施形態に係るデジタルカメラによれば、撮像不能状態である電源オフ状態から撮像可能状態である電源オン状態へ変わったときに、原則的に発光ユニット１は収納状態から使用状態となる。そして、電源オン状態で発光ユニット１が使用状態となっているときに手動操作によって発光ユニット１を使用状態から収納状態とすることができ、収納状態にした発光ユニット１を収納状態に保持したままで電源オフ状態とすることもができる。さらに、電源オフ状態で発光ユニット１が収納状態となっているときに手動操作によって発光ユニット１を収納状態から使用状態とすることができ、使用状態にした発光ユニット１を使用状態に保持したままで電源オン状態とすることもできる。
【００７３】
本実施形態に係るデジタルカメラは、従来のデジタルカメラと同様に、レンズ鏡筒ユニットＬ（駆動環３０）の動きに連動させて、発光ユニット１を使用状態と収納状態との間で移動させる。しかし、本実施形態に係るデジタルカメラは、このような動作に限られず、電源オン状態でも電源オフ状態でも、手動操作によって発光ユニット１を使用状態と収納状態との間で移動させることが可能となっている。また、手動操作によって発光ユニット１を移動させた後に、発光ユニット１の状態をそのままに保持しながら、デジタルカメラの電源をオン／オフすることができる。つまり、電源オン状態で発光ユニット１を手動操作によって収納状態として電源オフした場合でも、次に電源をオンすれば、発光ユニット１は収納状態から使用状態となる。同様に、電源オフ状態で発光ユニット１を手動操作によって使用状態として電源をオンにした場合でも、次に電源をオフすれば、発光ユニット１は使用状態から収納状態となる。
【００７４】
本実施形態では、図１０（ａ）に示す第１のクリアランスＫ１を形成することで、発光ユニット１を手動操作によって収納状態から使用状態に移動させる際に、スライダ３７が移動することがない。そのため、小さな力で発光ユニット１を収納状態から図１０（ｂ）に示す状態へ移動させることができる。そして、発光ユニット１とスライダ３７とが一体となって動き出すときにはクリアランスＴが形成されるため、発光ユニット１に大きな力を掛け易くなり、これにより発光ユニット１を容易に使用状態にすることができる。
【００７５】
＜図７に示したストロボカムに対する考慮点＞
図７を参照して駆動環３０に形成される３つのストロボカム（第１のストロボカム３０ａ〜第３のストロボカム３０ｃ）の形状と機能を説明し、また、図８を参照して用いて発光部の動作を説明した。また、図９を参照して発光ユニット１が手動操作される際の発光部の動作を説明し、図１０を参照して収納状態にある発光ユニット１を手動操作で使用状態にする動作を説明した。ここで、駆動環３０に形成される第１のストロボカム３０ａ〜第３のストロボカム３０ｃについて、次の点に留意する必要がある。
【００７６】
例えば、図７（ｃ）において、駆動環３０の回転によってストロボフォロワー３９がポジション３０ｂ２からポジション３０ａ１に移動するとき、発光ユニット１には、一旦、収納状態から使用状態へ移動するような動きが発生する。これは、ストロボフォロワー３９と第２のストロボカム３０ｂとの係合が解除されてストロボフォロワー３９が駆動環３０の外周面に乗り上げてから第１のストロボカム３０ａとの係合を開始するまでの間のストロボフォロワー３９の挙動によるものである。この挙動は、ストロボフォロワー３９が第１のストロボカム３０ａに対して係合を開始する際に、圧縮ばね４０の分力が、図７（ｃ）が描画されている紙面に向かって下側（つまり、発光ユニット１が使用状態になる方向）に働くことによる。これは、駆動環３０の回転に対する第１のストロボカム３０ａのリードが比較的立っておらず、第１のストロボカム３０ａのカム溝側面がテーパー面であることに起因する（図７（ｂ）参照）。
【００７７】
このような発光ユニット１の意図しない開閉によって音や振動等が発生すると、ユーザによっては、デジタルカメラが故障したと間違って判断するおそれがある。そこで、以下に、この問題を解決するための第１のストロボカム３０ａ〜第３のストロボカム３０ｃの変形例（好ましい形状）について説明する。
【００７８】
［駆動環３０に形成されるストロボカムの変形例（１）］
図１１は、駆動環３０に形成されるストロボカム（第１のストロボカム３０ａ，第２のストロボカム３０ｂ）の変形例の詳細に示す図である。なお、図１１には、説明を簡単にするため第３のストロボカム３０ｃの図示を省略している。但し、第３のストロボカム３０ｃについても、上述の問題が発生する。これは、駆動環３０の回転によりストロボフォロワー３９がポジション３０ｃ１からポジション３０ａ２に移動するとき（図７（ｃ）参照）、発光ユニット１には、一旦、使用状態から収納状態へ移動するような動きが発生するからである。この点も、下記に説明する構成と同様の構成を適用することで解決することができる。
【００７９】
図１１を参照した説明では、これまでに説明した構成要素（部品、部位）と同じ構成要素については同じ符号を用い、主に図７（ｃ）を参照して説明したストロボカムとの相違点について説明する。
【００８０】
図１１に示すように、第１のストロボカム３０ａは、光学ユニット１を使用状態から収納状態へ移動させるための領域において、駆動環３０の回転方向に対して角度θ１のリードを有する第１のリード部と角度θ２のリードを有する第２のリード部とを有している。角度θ１に対して角度θ２は十分にリードが立っており、角度θ２は限りなく９０°に近いことが望ましい。
【００８１】
第２のストロボカム３０ｂには、光学ユニット１を使用状態から収納状態へ移動させるための領域において、光学ユニット１が更にデジタルカメラ本体に押し込まれる方向に移動するように、駆動環３０の回転方向に対して角度θ３のリードが形成されている。そして、第２のストロボカム３０ｂのカム溝の中心位置は、第１のストロボカム３０ａにおけるポジション３０ａ１よりも撮像面側に位置している。このような形態に形成されたストロボカムの機能について、以下に詳細に説明する。
【００８２】
（自動で発光ユニット１を開閉させる場合）
自動（電源のオン／オフ）で発光ユニット１を開閉させる場合における、第１のストロボカム３０ａとストロボフォロワー３９との係合動作について説明する。
【００８３】
デジタルカメラの電源をオンすると駆動環３０がα方向に回転し、これにより図１１において、ストロボフォロワー３９はポジション３０ａ１の位置から移動する。このとき、ストロボフォロワー３９は、先ず、第１のリード部にあるカム面３０ａａに当接してスライダ３７と一体的に被写体側に押されながら移動を始める（適宜、図６（ｂ）参照）。カム面３０ａａは駆動環３０の回転方向に対して緩やかな角度θ１を有する面であるため、ストロボフォロワー３９はカム面３０ａａによって徐々に被写体側に動かされる。
【００８４】
そして、図１０を参照して説明したように軸３０１ａと軸４１０との距離が最も近づいた状態を超えると、トグルばね４０９の付勢方向が切り換わる。これにより、ストロボフォロワー３９は、第１のストロボカム３０ａのカム面３０ａａから離れてカム面３０ａｂに押し付けられる（適宜、図６（ｃ）参照）。
【００８５】
カム面３０ａｂはカム面３０ａａと同様に第１のリード部にあるため、ストロボフォロワー３９は、カム面３０ａａから離れてカム面３０ａｂに押し付けられるまでは、トグルばね４０９の付勢力によって移動する。このときのトグルばね４０９の付勢力は比較的大きいため、ストロボフォロワー３９は、圧縮ばね４０によるストロボフォロワー３９の先端部と第１のストロボカム３０ａのカム底との摩擦力に抗して可動する。ストロボフォロワー３９は、トグルばね４０９によるカム面３０ａｂへの押し付け力によってカム面３０ａｂとの当接を保ちながら、レンズ鏡筒ユニットＬのワイド状態に対応するポジション３０ａ２に到達する。
【００８６】
第１のストロボカム３０ａは、ポジション３０ａ２からポジション３０ａ３の間では、駆動環３０の回転方向と平行にカムが切られている。そのため、スライダ３７は光軸方向で一定の位置を保ち、例えば図６（ｃ）のように、発光ユニット１は使用状態に保持される。なお、本実施形態では、回転方向と平行に第１のストロボカム３０ａを形成したが、ズームストロボとして機能させるためにリードを持たせてもよい。
【００８７】
ストロボフォロワー３９がポジション３０ａ３に位置している状態でデジタルカメラの電源がオフされた場合、上記と逆のルートを辿る。すなわち、電源がオフされると、駆動環３０が図１１に示すβ方向に回転し、ストロボフォロワー３９はポジション３０ａ３からポジション３０ａ２まで光軸方向において一定の位置を保つ。したがって、発光ユニット１は、例えば図６（ｃ）のように、使用状態のままである。ストロボフォロワー３９は、ポジション３０ａ２からは第１のストロボカム３０ａの角度θ１の第１のリード部のカム面３０ａｂに当接し、スライダ３７との係合により撮像面側に押されて移動を始める。このとき、スライダ３７のＵ字部３７ｂがストロボホルダ４０８の突起４０８ｂに当接することにより、発光ユニット１は徐々に閉じられていく。
【００８８】
ストロボフォロワー３９がカム面３０ａｂによって更に撮像面側に動かされると、図１０を用いて説明したように軸３０１ａと軸４１０との距離が最も近づいた状態を超えて、トグルばね４０９の付勢方向が切り換わる。このときのトグルばね４０９の付勢力は比較的強いため、ストロボフォロワー３９は圧縮ばね４０によるストロボフォロワー３９の先端部と第１のストロボカム３０ａのカム底との摩擦力に抗して可動する。
【００８９】
こうして、ストロボフォロワー３９は、駆動環３０のカム面３０ａａに押し付けられ、その押し付け力によってカム面３０ａａとの当接を保ちながらポジション３０ａ４に到達する。このとき、軸３０１ａと軸４１０とが比較的に離れているので（図１０（ｂ）参照）、トグルばね４０９の付勢力は比較的に弱い。したがって、スライダ３７における圧縮ばね４０のばね力はトグルばね４０９よりも十分大きくなっているため、カム面３０ａａの端部であるポジション３０ａ４からカム面３０ａｃの方には移動しない。よって、ストロボフォロワー３９は、ストロボフォロワー３９とカム底面との摩擦力によって光軸方向における位置を保ちながら、ポジション３０ａ１へ移動する。
【００９０】
（手動で発光ユニット１を使用状態から収納状態に移動させる場合）
発光ユニット１が使用状態にあるときに手動操作によって発光ユニット１を収納状態に切り換えたときの、図１１に示す第１のストロボカム３０ａ及び第２のストロボカム３０ｂとストロボフォロワー３９との係合動作について説明する。なお、発光ユニット１が使用状態にあるときとは、発光ユニット１がワイド状態とテレ状態の間にあるときであり、ストロボフォロワー３９はポジション３０ａ２とポジション３０ａ３との間に位置する。
【００９１】
発光ユニット１を手動操作で収納状態にすると、図９を参照して説明した経緯を経て、ストロボフォロワー３９は第２のストロボカム３０ｂと係合した状態となっている。ポジション３０ｂ２とポジション３０ｂ３の間においては、第２のストロボカム３０ｂは、駆動環３０の回転方向に対してリードを持たない平行なカムであるため、発光ユニット１は収納状態を保つ。
【００９２】
ストロボフォロワー３９がポジション３０ｂ２とポジション３０ｂ３の間に位置しているときに、デジタルカメラの電源をオフすると、駆動環３０は図１１のβ方向に回転する。これにより、ストロボフォロワー３９は、ポジション３０ｂ２を越えると、カム面３０ｂａによってスライダ３７と一体的に撮像面側に移動する。このとき、発光ユニット１は収納状態のままである。更に駆動環３０がβ方向に回転すると、ストロボフォロワー３９はカム面３０ｂａの端部に達して、駆動環３０の外周面に乗り上げる。
【００９３】
ここで、カム面３０ｂａを有する第２のストロボカム３０ｂは、駆動環３０の回転に対して角度θ３の第３のリード部を有しているため、第１のストロボカム３０ａのカム面３０ａｃを滑り落ちて、ポジション３０ａ５に移動する。これにより、ストロボフォロワー３９は、第２のストロボカム３０ｂから第１のストロボカム３０ａに乗り移る。第３のリード部の角度は、第１のリード部及び第２のリード部の角度よりも小さくてよい。これは、第３のリード部は、ストロボフォロワー３９が第２のストロボカム３０ｂから第１のストロボカム３０ａに乗り移るときに被写体側に移動してしまうのを防ぐために設けられているからである。
【００９４】
図１１の構成の場合にストロボフォロワー３９がカム面３０ａｃを滑り落ちてポジション３０ａ５に移動する際にストロボフォロワー３９に対して光軸方向の被写体側に働く力は、図７（ｃ）の構成の場合に比べて十分に小さい。これは、カム面３０ａｃは駆動環３０の回転方向に対してリードが十分に立った角度θ２（θ１＜＜θ２）となっているため、第１のストロボカム３０ａのカム溝側面にテーパー角が設けられていても、圧縮ばね４０の付勢力による分力が小さいからである。したがって、図１１に示す構成によれば、図７（ｃ）の構成の場合と異なり、第１のクリアランスＫ１の存在と相俟って、発光ユニット１が使用状態の方向に開き始めるまでスライダ３７を被写体側に動かすには至らない。
【００９５】
さらに駆動環３０がβ方向に回転すると、ストロボフォロワー３９は第１のストロボカム３０ａの底面を移動した後にカム面３０ａｄに当接する。そして、ストロボフォロワー３９は、カム面３０ａｄとの当接を保ちながらスライダ３７と一体的に被写体側に移動してポジション３０ａ１に達する。
【００９６】
前述の通り、ストロボフォロワー３９は、ポジション３０ａ１から駆動環３０の回転力を受けてポジション３０ａ２へ移動する場合には、ポジション３０ａ４を経由する。これに対して、ストロボフォロワー３９は、ポジション３０ｂ２から駆動環３０の回転力を受けてポジション３０ａ１へ移動する場合には、ポジション３０ａ５を経由する。これは、ポジション３０ａ１と第２のストロボカム３０ｂの中心線とを光軸方向で距離Ｌだけずらしているからである。
【００９７】
つまり、図１１に示す構成では、ポジション３０ａ１と第２のストロボカム３０ｂの中心線とを光軸方向で距離Ｌだけずらすことで、駆動環３０のα方向回転時とβ方向回転時とで、ストロボフォロワー３９の光軸方向における通過位置を変えている。これにより、圧縮ばね４０とトグルばね４０９との付勢力の差を利用して、例えば、ストロボフォロワー３９がポジション３０ａ１からポジション３０ａ２へ移動する際にストロボフォロワー３９がカム面３０ａｃに当接する確率を低くすることができる。
【００９８】
つまり、ストロボフォロワー３９を、ポジション３０ａ１からポジション３０ａ２へ移動する際にはカム面３０ａａに正確に当接させてカム面３０ａａに沿って移動させることができる。一方、ストロボフォロワー３９を、ポジション３０ｂ２からポジション３０ａ１へ移動させる際には、第２のストロボカム３０ｂからカム面３０ａｃを正確に経由して第１のストロボカム３０ａに移動させることができる。
【００９９】
（発光ユニット１を強制的に収納状態に保持して電源をオンする場合）
次に、発光ユニット１を指で押える等して強制的に収納状態を保ったままデジタルカメラの電源をオンした場合の、図１１に示す第１のストロボカム３０ａ及び第２のストロボカム３０ｂとストロボフォロワー３９との係合動作について説明する。
【０１００】
ストロボフォロワー３９は、駆動環３０のα方向への回転によって、ポジション３０ａ１からポジション３０ａ４を経由してポジション３０ｂ２へ移動する。ポジション３０ａ４は、第１のストロボカム３０ａの緩やかな角度θ１の傾斜を有する第１のリード部のカム面３０ａａの撮像面側の端に位置する。このとき、発光ユニット１は収納状態に保持されているため、ストロボフォロワー３９は、スライダ３７と一体的に光軸方向で移動することなく、ポジション３０ａ４からストロボカム３０ａのカム面３０ａａを駆け上がる。
【０１０１】
こうして、ストロボフォロワー３９は、スライダ３７と一体的に駆動環３０の外周面を経てストロボカム３０ｂの第３のリード部にあるカム面３０ｂａを滑り下りてＷＩＤＥ位置であるポジション３０ｂ２に到達する。ストロボフォロワー３９が駆動環３０の外周面からポジション３０ｂ２へ移動する際に、スライダ３７は発光ユニット１を収納状態へ移動させる方向に動く。これは、第２のストロボカム３０ｂにおいてカム面３０ｂａが形成されている部分は、駆動環３０の回転に対して角度θ３でリードが立っている部分にあるからである。
【０１０２】
ところで、駆動環３０の回転によってストロボフォロワー３９がカム面３０ａｃに衝突してしまうと、カム面３０ａｃの当接衝撃が強過ぎて、デジタルカメラの使用を続けるうちにカム面３０ａｃが磨耗してしまう。この磨耗による溝がカム面３０ａｃに形成されてしまうと、発光ユニット１を強制的に収納状態にしていない場合に、ストロボフォロワー３９が摩耗により形成された溝を通過して第２のストロボカム３０ｂへ移動し、発光ユニット１が使用状態に移動しなくなる。
【０１０３】
このような問題を回避する観点から、駆動環３０の回転方向となす角度が緩やかな角度θ１のカム面３０ａａと角度の立った角度θ２のカム面３０ａｃとを使い分ける必要がある。そのためにポジション３０ａ１と第２のストロボカム３０ｂの中心線とを光軸方向に距離Ｌだけずらしている。
【０１０４】
上述の通り、本実施形態では、デジタルカメラの使用状態において手動操作で発光ユニット１を収納状態にした後にデジタルカメラの電源をオフする場合に、意図しない発光ユニット１の開閉が起きない機構とした。同様に、発光ユニット１の収納状態において発光ユニットを手動操作で使用状態に切り換えることを可能とする第３のストロボカム３０ｃについて、同様な構成のカム面を設ければよい。
【０１０５】
＜図１１に示したストロボカムに対する考慮点＞
図１１に示した第１のストロボカム３０ａ及び第２のストロボカム３０ｂでは、例えば、以下の問題が生じる。すなわち、ストロボフォロワー３９がポジション３０ａ２とポジション３０ｂ２の間にある状態からポジション３０ａ１に駆動環３０の回転により移動するとき、発光ユニット１には、収納状態から、一旦、使用状態へ移動するような動きが発生する。これは、ストロボフォロワー３９が駆動環３０の外周面に乗り上げた状態から第１のストロボカム３０ａとの係合が開始されるまでのストロボフォロワー３９の挙動によるものである。
【０１０６】
ストロボフォロワー３９が第１のストロボカム３０ａとの係合を開始する際に、ストロボフォロワー３９には圧縮ばね４０の分力が図１１の紙面に向かって下側（発光ユニット１が使用状態になる方向）に働く。これは、駆動環３０の回転に対する第１のストロボカム３０ａの第１のリード部が比較的立っていないことと、第１のストロボカム３０ａのカム溝側面にテーパー角が形成されていることに起因する。
【０１０７】
このような意図しない発光ユニット１の開閉によって、デジタルカメラが故障したとユーザが間違って判断するおそれがある。そこで、以下に、この問題を解決するための第１のストロボカム３０ａ〜第３のストロボカム３０ｃの変形例（好ましい形状）について説明する。
【０１０８】
［駆動環３０に形成されるストロボカムの好適な実施形態（２）］
図１２は、駆動環３０に形成されるストロボカムの更に好ましい形状を詳細に示す図である。なお、図１２では、説明を簡単にするために、第３のストロボカム３０ｃの図示を省略し、説明も省略する。但し、第３のストロボカム３０ｃについても上記と同様の問題が発生する。つまり、ストロボフォロワー３９がポジション３０ａ１とポジション３０ｃ１との間にある状態から駆動環３０の回転によりポジション３０ａ２に移動するとき、発光ユニット１には、使用状態から、一旦、収納状態の方向へ移動するような動きが発生する。この点も、下記に説明する構成と同様の構成を適用することで解決することができる。
【０１０９】
図１２に示すストロボカムの構成と図１１のストロボカムの構成とでは、以下の点で異なっている。すなわち、図１２に示す第２のストロボカム３０ｂは、沈胴状態からテレ状態までの断面が均一ではなく、沈胴状態からワイド状態の手前までの間に発光ユニット１の収納状態から使用状態の全域を覆うように形成されたカム幅の広いリード部を有している。
【０１１０】
駆動環３０の外周面と第２のストロボカム３０ｂのワイド位置近辺のカム幅の広いリード部とを結ぶカム面３０ｄａは、フォロワー３９がカム面３０ｄａ上にあるとき、スライダ３７が光軸方向に移動することを防止する。このような機能を持たせるために、カム面３０ｄａは、スライダ３７の移動方向とカム面３０ｄａの法線ベクトルとが垂直をなすように形成されている。このような形態に形成されたストロボカムの機能について、以下に説明する。
【０１１１】
（自動で発光ユニット１を開閉させる場合）
自動で発光ユニット１を開閉させる場合における、ストロボフォロワー３９と第１のストロボカム３０ａとの係合動作について説明する。
【０１１２】
デジタルカメラの電源をオンすると駆動環３０は図１２に示すα方向に回転し、これに伴って、ストロボフォロワー３９はポジション３０ａ１からの移動を開始する。ストロボフォロワー３９は、第１のリード部にあるカム面３０ａａに当接し、スライダ３７と一体的に被写体側に押されて移動する（適宜、図６（ｂ）参照）。ストロボフォロワー３９は、カム面３０ａａによって徐々に被写体側に動かされ、軸３０１ａと軸４１０との距離が最も近づいた状態を超えると（適宜、図１０参照）、トグルばね４０９の付勢方向が切り換わる。
【０１１３】
これにより、ストロボフォロワー３９は第１のストロボカム３０ａのカム面３０ａａから離れてカム面３０ａｂに押し付けられる（適宜、図６（ｃ）参照）。なお、カム面３０ａｂもカム面３０ａａと同様に第１のリード部にある。ストロボフォロワー３９は、カム面３０ａａから離れてカム面３０ａｂに押し付けられるまでは、トグルばね４０９の付勢力により移動する。このときのトグルばね４０９の付勢力は比較的大きいため、ストロボフォロワー３９は、圧縮ばね４０によるストロボフォロワー３９の先端部と第１のストロボカム３０ａのカム底との摩擦力に抗して可動する。
【０１１４】
ストロボフォロワー３９は、トグルばね４０９によるカム面３０ａｂへの押し付け力によって、カム面３０ａｂとの当接を保ちながらポジション３０ａ２に達し、発光ユニット１は使用状態となる。第１のストロボカム３０ａではポジション３０ａ２からポジション３０ａ３の間は駆動環３０の回転方向と平行にカムが切られているため、スライダ３７は光軸方向に一定の位置を保ち、発光ユニット１は使用状態に保持される（適宜、図６（ｃ）参照）。なお、ここでも、回転方向と平行に第１のストロボカム３０ａを形成したが、ズームストロボとして機能させるためにリードを持たせてもよい。
【０１１５】
ストロボフォロワー３９がポジション３０ａ３に位置しているときにデジタルカメラの電源がオフされた場合、上記と逆のルートを辿る。すなわち、デジタルカメラの電源をオフすると、駆動環３０が図１２に示すβ方向に回転し、これに伴ってストロボフォロワー３９はポジション３０ａ３からポジション３０ａ２まで光軸方向において一定の位置を保つ。そのため、発光ユニット１は使用状態のままである。
【０１１６】
ストロボフォロワー３９は、ポジション３０ａ２からは第１のストロボカム３０ａの角度θ１の第１のリード部のカム面３０ａｂに当接して、スライダ３７との係合により撮像面側に押されながら移動する。このとき、スライダ３７のＵ字部３７ｂがストロボホルダ４０８の突起４０８ｂに当接することで、発光ユニット１は徐々に閉じられていく。
【０１１７】
ストロボフォロワー３９は、カム面３０ａｂによって更に撮像面側に動かされると、図１０を参照して説明したように、軸３０１ａと軸４１０との距離が最も近づいた状態を超え、これによりトグルばね４０９の付勢方向が切り換わる。このときのトグルばね４０９の付勢力は比較的強いため、ストロボフォロワー３９は圧縮ばね４０によるストロボフォロワー３９の先端部と第１のストロボカム３０ａのカム底との摩擦力に抗して可動する。こうして、ストロボフォロワー３９は、駆動環３０のカム面３０ａａに押し付けられ、その押し付け力によってカム面３０ａａとの当接を保ちながらポジション３０ａ４に達する。このとき、軸３０１ａと軸４１０とが比較的離れているため、トグルばね４０９の付勢力は比較的弱い。つまり、スライダ３７の圧縮ばね４０のばね力はトグルばね４０９よりも十分大きくなっており、そのため、ストロボフォロワー３９はカム面３０ａａの端部であるポジション３０ａ４からカム面３０ａｃの方には移動しない。よって、ストロボフォロワー３９は、光軸方向での位置をストロボフォロワー３９とカム底面との摩擦力によって保ちながら、ポジション３０ａ１まで移動する。
【０１１８】
（手動で発光ユニット１を使用状態から収納状態に移動させる場合）
発光ユニット１が使用状態にあるときに、手動操作によって発光ユニット１を収納状態に切り換えたときの第１のストロボカム３０ａ及び第２のストロボカム３０ｂとストロボフォロワー３９との係合動作について説明する。
【０１１９】
手動で発光ユニット１を使用状態から収納状態にすると、図９を参照して説明した経緯を経て、ストロボフォロワー３９は第２のストロボカム３０ｂと係合した状態となる。このとき、ストロボフォロワー３９は、第２のストロボカム３０ｂに滑り落ちることで、ユーザに発光ユニット１が収納状態に達したことを通知する。第２のストロボカム３０ｂは、ポジション３０ｂ２とポジション３０ｂ３の間では、駆動環３０の回転方向に対してリードを持たない平行なカムであるため、発光ユニット１は収納状態を保つ。
【０１２０】
ストロボフォロワー３９がポジション３０ｂ２とポジション３０ｂ３との間に位置している状態でデジタルカメラの電源をオフすると、駆動環３０は図１２に示すβ方向に回転する。ストロボフォロワー３９がポジション３０ｂ２を越えると、スライダ３７の圧縮ばね４０のばね力により、ストロボフォロワー３９は光軸方向での位置を保ちながら第２のストロボカム３０ｂの底面に沿って移動し、ポジション３０ｂ４に達する。
【０１２１】
更に駆動環３０の回転が続くと、ストロボフォロワー３９は、カム面３０ｂａによってスライダ３７と一体的に撮像面側に移動する。このとき、発光ユニット１は収納状態のままである。そして、ストロボフォロワー３９は、カム面３０ｂａの端部に達した後に駆動環３０の外周面に乗り上げ、第１のストロボカム３０ａのカム面３０ａｃを滑り落ちて、第１のストロボカム３０ａに乗り移り、ポジション３０ａ５に移動する。更に駆動環３０が回転すると、ストロボフォロワー３９は、第１のストロボカム３０ａの底面を移動した後にカム面３０ａｄに当接し、カム面３０ａｄとの当接を保ちながらスライダ３７と一体的に被写体側に移動して、ポジション３０ａ１に到達する。
【０１２２】
（発光ユニット１を手動で使用状態と収納状態との間で停止させた場合）
発光ユニット１が使用状態にあるとき、手動操作によって発光ユニット１を使用状態と収納状態の間の位置に切り換えたときの第１のストロボカム３０ａ及び第２のストロボカム３０ｂとストロボフォロワー３９との係合動作について説明する。
【０１２３】
発光ユニット１を手動で使用状態と収納状態の間の位置で停止させると、図９を参照して説明した経緯を経て、ストロボフォロワー３９は第１のストロボカム３０ａと第２のストロボカム３０ｂとの間の駆動環３０の外周面に乗り上げた状態となっている。図１２に示すポジション３０ｄ２とポジション３０ｄ３の間では、スライダ３７の圧縮ばね４０のばね力により、ストロボフォロワー３９は光軸方向での位置を保ちながら駆動環３０の外周面に沿って移動し、発光ユニット１は手動操作で移動させた状態を保つ。
【０１２４】
ストロボフォロワー３９がポジション３０ｄ２とポジション３０ｄ３の間に位置している状態でデジタルカメラの電源をオフすると、駆動環３０は図１２に示すβ方向に回転し、ストロボフォロワー３９は、ポジション３０ｄ２を越えるとカム面３０ｄａを滑り落ちて、第２のストロボカム３０ｂと係合する。カム面３０ｄａはスライダ３７の移動方向と法線ベクトルが垂直をなす面で形成されているため、ストロボフォロワー３９は光軸方向において一定の位置を保つ。
【０１２５】
更に駆動環３０の回転が続くと、スライダ３７の圧縮ばね４０のばね力により、ストロボフォロワー３９は光軸方向での位置を保ちながら第２のストロボカム３０ｂの底面に沿って移動しポジション３０ｄ４に達する。その後、駆動環３０の回転に従って、ストロボフォロワー３９は、カム面３０ｂａに沿ってスライダ３７と一体的にポジション３０ｂ４に向かって撮像面側に移動し、徐々に発光ユニット１を収納状態に移動させる。
【０１２６】
そして、発光ユニット１が収納状態となった後、ストロボフォロワー３９は、カム面３０ｂａの端部に達して駆動環３０の外周面に乗り上げ、第１のストロボカム３０ａのカム面３０ａｃを滑り落ちてポジション３０ａ５に移動する。こうして、ストロボフォロワー３９は、第２のストロボカム３０ｂから第１のストロボカム３０ａへ乗り移る。更に駆動環３０が回転すると、ストロボフォロワー３９は、第１のストロボカム３０ａの底面を移動してカム面３０ａｄに当接し、カム面３０ａｄとの当接を保ちながらスライダ３７と一体的に被写体側に移動してポジション３０ａ１に達する。
【０１２７】
（発光ユニット１を強制的に収納状態に保持して電源をオンする場合）
発光ユニット１を指で押える等して強制的に収納状態を保ったままデジタルカメラの電源をオンした場合の、第１のストロボカム３０ａ及び第２のストロボカム３０ｂとストロボフォロワー３９との係合動作について説明する。
【０１２８】
デジタルカメラの電源をオンすると駆動環３０は図１２に示すβ方向へ回転し、これに伴って、ストロボフォロワー３９はポジション３０ａ１からポジション３０ａ４を経由してポジション３０ｂ２へ移動する。より詳しくは、ポジション３０ａ４は第１のストロボカム３０ａの緩やかな角度θ１の傾斜を有する第１のリード部のカム面３０ａａの端に位置しており、発光ユニット１は指等で収納状態に保持されている。そのため、ストロボフォロワー３９は、スライダ３７と一体的に光軸方向で移動することなく、そのまま位置で第１のストロボカム３０ａのカム面３０ａａを上る。その後、ストロボフォロワー３９は、スライダ３７と一体的に、駆動環３０の外周面を経て第２のストロボカム３０ｂの第３のリード部にあるカム面３０ｂａを滑り下りてポジション３０ｂ４に到達し、更にポジション３０ｂ２に達する。
【０１２９】
このようにして、ストロボフォロワー３９が駆動環３０の外周面からポジション３０ｂ２へ移動する際、スライダ３７は発光ユニット１をデジタルカメラ本体に押し込む方向に動く。以上の説明の通り、本実施形態によれば、デジタルカメラの使用状態において手動で発光ユニット１を移動した後にデジタルカメラの電源をオフした場合にも、意図しない発光ユニット１の開閉が起こらない。
【０１３０】
なお、発光ユニット１が収納状態にあるときに発光ユニット１を手動で使用状態に移動させることを可能とする第３のストロボカム３０ｃがある場合も、同じ効果を得るために、これと同様の構成のカム面を設けることが好ましい。
【０１３１】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【符号の説明】
【０１３２】
１      発光ユニット
３０    駆動環
３０ａ  第１のストロボカム
３０ｂ  第２のストロボカム
３０ｃ  第３のストロボカム
３７    スライダ
３９    ストロボフォロワー
４４    駆動源
Ｌ      レンズ鏡筒ユニット
【図１】
2013073059.tif 000003
【図２】
2013073059.tif 000004
【図３】
2013073059.tif 000005
【図４】
2013073059.tif 000006
【図５】
2013073059.tif 000007
【図６】
2013073059.tif 000008
【図７】
2013073059.tif 000009
【図８】
2013073059.tif 000010
【図９】
2013073059.tif 000011
【図１０】
2013073059.tif 000012
【図１１】
2013073059.tif 000013
【図１２】
2013073059.tif 000014